(57)【特許請求の範囲】
【請求項１】
１回の通信で複数ドキュメントを送信可能で、受信側にその情報を通知する通信制御手段と、通信履歴情報をドキュメントごとに記憶する記憶手段と、該記憶手段が記憶した通信履歴情報を通信管理レポートとして出力する手段とを備え、前記記憶手段の記憶容量または前記通信管理レポートの記載容量に基づく装置固有の通信管理数を有するファクシミリ装置において、前記通信制御手段によりドキュメントを受信する場合に、ドキュメント毎の通信履歴情報の数が前記通信管理数を越える前に通信を切断し、切断後に前記通信管理レポートを出力し、出力した通信管理レポートの記載に相当する通信管理情報を前記記憶手段から消去することを特徴とするファクシミリ装置。
【請求項２】
１回の通信で複数ドキュメントを送信可能で、受信側にその情報を通知する通信制御手段と、通信履歴情報を通信ドキュメントごとに記憶する記憶手段と、該記憶手段が記憶した通信履歴情報を通信管理レポートとして出力する手段とを有し、前記記憶手段の記憶容量または前記通信管理レポートの記載容量に基づく装置固有の通信管理数を有するファクシミリ装置において、前記通信制御手段によりドキュメントを受信する場合に、ドキュメント毎の通信履歴情報の数が前記通信管理数を越える前に通信を切断し、切断後に前記通信管理レポートを出力し、出力した通信管理レポートの記載に相当する通信管理情報を前記記憶手段から消去する第１の制御手段と、前記通信制御手段によりドキュメントを受信する場合に、ドキュメント毎の通信履歴の情報が前記通信管理数を越える前に送信側からの送信を停止させ、停止している間に前記通信管理レポートを出力し、出力した通信管理レポートの記載に相当する通信管理情報を前記記憶手段から消去する第２の制御手段とが実行可能であり、前記第１の制御手段による受信、前記第２の制御手段による受信、及び該第１の制御手段と第２の制御手段とを実行しない通常受信のいずれかを選択できる手段を有することを特徴とするファクシミリ装置。
【請求項３】
請求項１または２に記載の通信制御手段はＧ４通信を利用することを特徴とした、ファクシミリ装置。
【請求項４】
１回の通信で複数ドキュメントを送信可能で、受信側にその情報を通知し、受信側は通信履歴情報をドキュメントごとに記憶し、固有の通信管理数に関連して記憶した通信履歴情報を通信管理レポートとして出力するファクシミリ通信方法において、前記通信方法によりドキュメントを受信する場合に、ドキュメント毎の通信履歴情報の数が前記通信管理数を越える前に通信を切断し、切断後に前記通信管理レポートを出力し、出力した通信管理レポートの記載に相当する通信管理情報を消去することを特徴とするファクシミリ通信方法。
【請求項５】
１回の通信で複数ドキュメントを送信可能で、受信側にその情報を通知し、受信側は通信履歴情報をドキュメントごとに記憶し、固有の通信管理数に関連して記憶した通信履歴情報を通信管理レポートとして出力するファクシミリ通信方法において、前記通信方法によりドキュメントを受信する場合に、ドキュメント毎の通信履歴情報の数が前記通信管理数を越える前に通信を切断し、切断後に前記通信管理レポートを出力し、出力した通信管理レポートの記載に相当する通信管理情報を消去する第１の制御方法と、前記通信方法によりドキュメントを受信する場合に、ドキュメント毎の通信履歴の情報が前記通信管理数を越える前に送信側からの送信を停止させ、停止している間に前記通信管理レポートを出力し、出力した通信管理レポートの記載に相当する通信管理情報を前記記憶手段から消去する第２の制御方法とが実行可能であり、前記第１の制御方法による受信、前記第２の制御方法による受信、及び該第１の制御方法と第２の制御方法とを実行しない通常受信のいずれかを選択できることを特徴とするファクシミリ通信方法。
【発明の詳細な説明】
【０００１】
【発明の属する技術分野】
本発明は、ファクシミリ装置、より詳細には、Ｇ４通信における通信履歴を管理するファクシミリ装置に関する。
【０００２】
【従来の技術】
ファクシミリ装置のＧ４通信では送信側が列信を発している事が受信側でもわかる。Ｇ４通信の受信側は、ドキュメント毎に通信管理用メモリの管理領域に通信相手先情報や通信モードなどを登録する。従来のファクシミリ装置では、１回の通信の中で受信したドキュメントの数だけ通信管理用メモリに登録する処理を行うため、やがて通信管理用メモリの規定の登録数を越えてしまう。そこで、従来のＧ４通信可能なファクシミリ装置は、通信を行いながら通信管理レポートを出力するようにしている。通信管理レポートが出力できた時点で通信管理部の管理領域が開放されるので、引き続いて通信情報を登録できる領域が確保され、通信管理情報が消失するような事はなかった。
【０００３】
しかし、最近はＩＳＤＮの普及により、通信中にレポート出力ができないパフォーマンスの低い安価なファクシミリ装置にもＧ４通信の機能が要求されている。この時、従来は上述のようにＧ４受信中に通信管理レポートを出力する事により通信管理情報の消失を防止していたが、パフォーマンスの低いファクシミリ装置においてはこのような機能がなく、通信管理情報が消失してしまうという問題が生じる。
【０００４】
【発明が解決しようとする課題】
本発明は、上述のごとき実情に鑑みてなされたもので、通信履歴の管理情報を消失することのないように通信制御を行うファクシミリ装置を提供することを目的とする。
【０００５】
【課題を解決するための手段】
請求項１の発明は、１回の通信で複数ドキュメントを送信可能で、受信側にその情報を通知する通信制御手段と、通信履歴情報をドキュメントごとに記憶する記憶手段と、該記憶手段が記憶した通信履歴情報を通信管理レポートとして出力する手段とを備え、前記記憶手段の記憶容量または前記通信管理レポートの記載容量に基づく装置固有の通信管理数を有するファクシミリ装置において、前記通信制御手段によりドキュメントを受信する場合に、ドキュメント毎の通信履歴情報の数が前記通信管理数を越える前に通信を切断し、切断後に前記通信管理レポートを出力し、出力した通信管理レポートの記載に相当する通信管理情報を前記記憶手段から消去することを特徴としたものである。
【０００７】
請求項２の発明は、１回の通信で複数ドキュメントを送信可能で、受信側にその情報を通知する通信制御手段と、通信履歴情報を通信ドキュメントごとに記憶する記憶手段と、該記憶手段が記憶した通信履歴情報を通信管理レポートとして出力する手段とを有し、前記記憶手段の記憶容量または前記通信管理レポートの記載容量に基づく装置固有の通信管理数を有するファクシミリ装置において、前記通信制御手段によりドキュメントを受信する場合に、ドキュメント毎の通信履歴情報の数が前記通信管理数を越える前に通信を切断し、切断後に前記通信管理レポートを出力し、出力した通信管理レポートの記載に相当する通信管理情報を前記記憶手段から消去する第１の制御手段と、前記通信制御手段によりドキュメントを受信する場合に、ドキュメント毎の通信履歴の情報が前記通信管理数を越える前に送信側からの送信を停止させ、停止している間に前記通信管理レポートを出力し、出力した通信管理レポートの記載に相当する通信管理情報を前記記憶手段から消去する第２の制御手段とが実行可能であり、前記第１の制御手段による受信、前記第２の制御手段による受信、及び該第１の制御手段と第２の制御手段とを実行しない通常受信のいずれかを選択できる手段を有することを特徴としたものである。
請求項３の発明は、請求項１または２の発明は、Ｇ４通信を利用することを特徴としたものである。
請求項４の発明は、１回の通信で複数ドキュメントを送信可能で、受信側にその情報を通知し、受信側は通信履歴情報をドキュメントごとに記憶し、固有の通信管理数に関連して記憶した通信履歴情報を通信管理レポートとして出力するファクシミリ通信方法において、前記通信方法によりドキュメントを受信する場合に、ドキュメント毎の通信履歴情報の数が前記通信管理数を越える前に通信を切断し、切断後に前記通信管理レポートを出力し、出力した通信管理レポートの記載に相当する通信管理情報を消去することを特徴としたものである。
請求項５の発明は、１回の通信で複数ドキュメントを送信可能で、受信側にその情報を通知し、受信側は通信履歴情報をドキュメントごとに記憶し、固有の通信管理数に関連して記憶した通信履歴情報を通信管理レポートとして出力するファクシミリ通信方法において、前記通信方法によりドキュメントを受信する場合に、ドキュメント毎の通信履歴情報の数が前記通信管理数を越える前に通信を切断し、切断後に前記通信管理レポートを出力し、出力した通信管理レポートの記載に相当する通信管理情報を消去する第１の制御方法と、前記通信方法によりドキュメントを受信する場合に、ドキュメント毎の通信履歴の情報が前記通信管理数を越える前に送信側からの送信を停止させ、停止している間に前記通信管理レポートを出力し、出力した通信管理レポートの記載に相当する通信管理情報を前記記憶手段から消去する第２の制御方法とが実行可能であり、前記第１の制御方法による受信、前記第２の制御方法による受信、及び該第１の制御方法と第２の制御方法とを実行しない通常受信のいずれかを選択できることを特徴としたものである。
【０００８】
【発明の実施の形態】
図１は、本発明が適用されるファクシミリ装置の構成例を示すブロック図である。Ｇ４通信は、ＩＳＤＮ回線を介して、Ｇ４ユニット１７を用いて行われる。Ｇ４通信により受信したドキュメントの交信データは、例えば、管理用メモリ８の管理領域に登録される。以下、本発明の実施例を具体的に説明する。
【０００９】
（実施例１）
図２は、本発明の第１の実施例における通信制御の例を示す通信フロー図である。Ｇ４通信は、複数のドキュメントを１回の通信で送受信できる。このとき受信側ではメモリ受信が行われる。ドキュメントの終了であるＣＤＥを受信した時点でそのドキュメントの交信データを１交信分の通信管理データとして登録する。通信管理データの登録数の最大値（以下管理数Ａとする）と通信管理レポートに記載する交信数の最大値（以下管理数Ｂとする）は装置により決った値である。管理数Ｂに相当する量の通信管理データが管理領域に登録されたならば、通信管理レポートを自動的に出力し、その分の管理領域のデータを破棄する。また、Ｇ４受信中に複数のドキュメントを受信すると、順次その交信データが管理領域に登録されていく。そして、登録された数が管理数Ｂと等しくなったらＣＤＣＬ（＝ドキュメント機能リスト）に対してＣＳＡ（＝セッション中止）で通信を中断させる。通信終了後に通信管理レポートを自動出力するので管理領域が開放され、その後送信側が再発呼してきた場合は受信可能となる。
【００１０】
図３は、通信制御の例を示す通信フロー図である。Ｇ４受信中に複数のドキュメントを受信し、順次その交信データが管理領域に登録されていく。登録された数が管理数ＢＡと等しくなったらＣＤＥ（＝ドキュメント終了）に対してＲＤＥＰ（＝ドキュメント終了肯定）を発しない。送信側はＣＤＥに対してＲＤＥＰが来るまでタイマにより所定時間待機する。その間Ｇ４通信はデータのやり取りを行なわないので、受信側が通信管理レポートを出力する事が可能となる。通信管理レポートの出力が完了した時点でＲＤＥＰを発するので再び次のドキュメントを受信する事ができ、かつ通信管理レポートが出力されて管理領域が開放されているので引き続き管理領域にその交信データを登録することが可能となる。
【００１１】
（実施例２）
図４は、本発明の第２の実施例において選択が可能な通常のＧ４列信の通信制御の例を示す通信フロー図である。Ｇ４受信中に複数のドキュメントを受信し、順次その交信データが管理領域に登録されていく。登録された数が管理数Ｂと等しくなった時の動作をｆｌａｇによって判断する。
ｆｌａｇが０であれば、そのまま受信を継続する。
ｆｌａｇが１であれば、ＣＳＡでセッションを中断する。
ｆｌａｇが２であれば、ＲＤＥＰを遅らせてその間に通信管理レポートを出力する。
【００１２】
【発明の効果】
請求項１，４に対応する効果：通信管理数を超える前に通信を中断するので通信管理情報が消失する事がない。
【００１４】
請求項２，５に対応する効果：３通りの制御を選択する事ができるのでユーザのニーズに合わせる事ができる。
【図面の簡単な説明】
【図１】  本発明が適用されるファクシミリ装置の構成例を示すブロック図である。
【図２】  本発明の第１の実施例における通信制御の例を示す通信フロー図である。
【図３】  通信制御の例を示す通信フロー図である。
【図４】  本発明の第２の実施例において選択が可能な通常のＧ４列信の通信制御の例を示す通信フロー図である。
【符号の説明】
１…原稿センサ、２…スキャナ、３…用紙センサ、４…プロッタ、５…操作ボード、６…ＳＡＦ、７…ワークメモリ、８…管理用メモリ、９…通信制御部、１０…符号化復号化部、１１…ＣＰＵ、１２…ＲＯＭ、１３…バッファメモリ、１４…キャラクタジェネレータ、１５…ＮＣＵ、１６…モデム、１７…Ｇ４ユニット。
【図１】
0003744730.tif 000002
【図２】
0003744730.tif 000003
【図３】
0003744730.tif 000004
【図４】
0003744730.tif 000005